【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
間接的な印刷プロセスに使用するためのインクであって：
水；
水混和性の有機溶媒、ここで、前記水と前記水混和性の有機溶媒との割合が９７：３〜４０：６０であり、前記水と前記水混和性の有機溶媒との合計量がインクの合計重量に対して７５〜９７重量％である；
平均粒径が２０〜５００ｎｍである着色剤；ならびに、
少なくとも１つの不飽和ポリエステルおよび光開始剤を含むラテックス、ここで、前記少なくとも１つの不飽和ポリエステルは酸価が９〜１３の範囲であり、前記少なくとも１つの不飽和ポリエステルは、二酸モノマーまたはジエステルモノマーの第１の残基とジオールモノマーの第２の残基とを少なくとも含み、前記不飽和ポリエステルは前記二酸モノマーまたはジエステルモノマーの第１の残基と前記ジオールモノマーの第２の残基とを反応させることによって調製され、前記二酸モノマーは、フマル酸、マレイン酸、イタコン酸、およびこれらの混合物からなる群から選択され、前記ジエステルモノマーは、フマル酸ジメチル、イタコン酸ジメチル、ｃｉｓ−１，４−ジアセトキシ−２−ブテン、フマル酸ジエチル、マレイン酸ジエチル、およびこれらの混合物からなる群から選択され、前記ジオールモノマーは、プロポキシル化ビスフェノールＡ、ブトキシル化ビスフェノールＡ、エトキシル化ビスフェノールＡ、１，２−プロパンジオール、およびこれらの混合物からなる群から選択される、
を含み、
吐出温度での表面張力が１５〜５０ｍＮ／ｍであり、吐出温度での粘度が２センチポワズ〜２０センチポワズである、
間接的な印刷プロセスに使用するためのインク。
【請求項２】
前記二酸モノマーまたはジエステルモノマーの第１の残基および前記ジオールモノマーの第２の残基の片方または両方ともが不飽和部分を含む、請求項１に記載のインク。
【請求項３】
前記少なくとも１つの不飽和ポリエステルはアモルファスポリエステルを含む、請求項１に記載のインク。
【請求項４】
前記少なくとも１つの不飽和ポリエステルは重量平均分子量が５，０００ｇ／ｍｏｌ〜４０，０００ｇ／ｍｏｌである、請求項１に記載のインク。
【請求項５】
前記少なくとも１つの不飽和ポリエステルはガラス転移点が４５℃〜７０℃である、請求項１に記載のインク。
【請求項６】
前記少なくとも１つの不飽和ポリエステルは平均粒径が５０ｎｍ〜６００ｎｍである、請求項１に記載のインク。
【請求項７】
前記少なくとも１つの不飽和ポリエステルはインクの合計重量に対して１重量％〜２０重量％の量で存在する、請求項１に記載のインク。
【請求項８】
前記光開始剤は、ヒドロキシケトン、アシルホスフィンオキシド、ベンゾフェノン、フェニルグリオキシレート、およびこれらの混合物からなる群から選択される、請求項１に記載のインク。
【請求項９】
前記着色剤は、顔料、染料、顔料と染料との混合物、顔料の混合物、および染料の混合物からなる群から選択される、請求項１に記載のインク。
【請求項１０】
前記水混和性の有機溶媒は、スルホラン、メチルエチルケトン、イソプロパノール、２−ピロリジノン、ポリエチレングリコール、およびこれらの混合物からなる群から選択される、請求項１に記載のインク。
【請求項１１】
スルホランを更に含む、請求項１に記載のインク。
【請求項１２】
間接的な印刷プロセスに使用するためのインクであって：
水；
水混和性の有機溶媒、ここで、前記水と前記水混和性の有機溶媒との割合が９７：３〜４０：６０であり、前記水と前記水混和性の有機溶媒との合計量がインクの合計重量に対して７５〜９７重量％である；
平均粒径が２０〜５００ｎｍである着色剤；ならびに、
少なくとも１つの不飽和ポリエステルと、ヒドロキシケトン、アシルホスフィンオキシド、ベンゾフェノン、フェニルグリオキシレート、およびこれらの混合物からなる群から選択される光開始剤と、を含むラテックス、ここで、前記少なくとも１つの不飽和ポリエステルは酸価が１４〜１７の範囲であり、前記少なくとも１つの不飽和ポリエステルは、二酸モノマーまたはジエステルモノマーの第１の残基とジオールモノマーの第２の残基とを少なくとも含み、前記少なくとも１つの不飽和ポリエステルは前記二酸モノマーまたはジエステルモノマーの第１の残基と前記ジオールモノマーの第２の残基とを反応させることによって調製され、前記二酸モノマーまたはジエステルモノマーの第１の残基および前記ジオールモノマーの第２の残基の片方または両方ともが不飽和部分を含み、前記二酸モノマーは、フマル酸、マレイン酸、イタコン酸、およびこれらの混合物からなる群から選択され、前記ジエステルモノマーは、フマル酸ジメチル、イタコン酸ジメチル、ｃｉｓ−１，４−ジアセトキシ−２−ブテン、フマル酸ジエチル、マレイン酸ジエチル、およびこれらの混合物からなる群から選択され、前記ジオールモノマーは、プロポキシル化ビスフェノールＡ、ブトキシル化ビスフェノールＡ、エトキシル化ビスフェノールＡ、１，２−プロパンジオール、およびこれらの混合物からなる群から選択される、
を含む、間接的な印刷プロセスに使用するためのインク。
【請求項１３】
前記二酸モノマーはフマル酸を含む、請求項１２に記載のインク。
【請求項１４】
前記ジオールモノマーはプロポキシル化ビスフェノールＡを含む、請求項１２に記載のインク。
【請求項１５】
前記少なくとも１つの不飽和ポリエステルはインクの合計重量に対して１重量％〜２０重量％の量で存在する、請求項１２に記載のインク。
【請求項１６】
インクを導入すること、ここで、前記インクは、水と、水混和性の有機溶媒と、平均粒径が２０〜５００ｎｍである着色剤と、少なくとも１つの不飽和ポリエステルおよび光開始剤を含むラテックスと、を含み、前記水と前記水混和性の有機溶媒との割合が９７：３〜４０：６０であり、前記水と前記水混和性の有機溶媒との合計量がインクの合計重量に対して７５〜９７重量％であり、前記少なくとも１つの不飽和ポリエステルは酸価が９〜１３の範囲であり、前記少なくとも１つの不飽和ポリエステルは、二酸モノマーまたはジエステルモノマーの第１の残基とジオールモノマーの第２の残基とを少なくとも含み、前記不飽和ポリエステルは、前記二酸モノマーまたはジエステルモノマーの第１の残基と前記ジオールモノマーの第２の残基とを反応させることによって調製され、前記二酸モノマーは、フマル酸、マレイン酸、イタコン酸、およびこれらの混合物からなる群から選択され、前記ジエステルモノマーは、フマル酸ジメチル、イタコン酸ジメチル、ｃｉｓ−１，４−ジアセトキシ−２−ブテン、フマル酸ジエチル、マレイン酸ジエチル、およびこれらの混合物からなる群から選択され、前記ジオールモノマーは、プロポキシル化ビスフェノールＡ、ブトキシル化ビスフェノールＡ、エトキシル化ビスフェノールＡ、１，２−プロパンジオール、およびこれらの混合物からなる群から選択され、前記インクは吐出温度での表面張力が１５〜５０ｍＮ／ｍであり、前記インクは吐出温度での粘度が２センチポワズ〜２０センチポワズである；
インクの液滴を、画像様のパターンになるように中間転写体に対して吐出すること；ならびに、
前記画像を加熱して溶媒を部分的にまたは完全に除去すること（前記インクを部分的に硬化させてもよい）、画像様のパターンになった前記インクを前記中間転写体から最終的な記録基材に転写して、硬化させて堅牢性を有する最終的な画像にすること、
を含む、プロセス。